(57)【特許請求の範囲】
【請求項１】
ホスト側装置から参照される記憶部を有する信号監視装置において、
監視対象の信号について、その信号値と、あらかじめ設定された閾値との差分値を時間順次に算出する差分値算出部と、
時間順次に算出される前記差分値を、あらかじめ定められる規則により更新して記憶する前記記憶部とを備え、
前記閾値が下限値である場合の前記あらかじめ定められる規則は、前記記憶部における前記更新が、前記差分値の最小値のみを記憶する規則であり、
前記閾値が上限値である場合の前記あらかじめ定められる規則は、前記記憶部における前記更新が、前記差分値の最大値のみを記憶する規則であり、
前記差分値は、前記信号値から前記閾値を減算した正負の符号を含む値であり、当該正負の符号が前記ホスト側装置により参照され前記信号値の前記閾値に対する診断結果の把握に用いられることを特徴とする、
信号監視装置。
【請求項２】
ホスト側装置から参照される記憶部を有する信号監視装置において、
監視対象の信号について、その信号値と、あらかじめ設定された閾値との差分値を時間順次に算出する差分値算出部と、
時間順次に算出される前記差分値を、あらかじめ定められる規則により更新して記憶する前記記憶部とを備え、
前記閾値が下限値である場合の前記あらかじめ定められる規則は、前記記憶部における前記更新が、前記差分値の最大値のみを記憶する規則であり、
前記閾値が上限値である場合の前記あらかじめ定められる規則は、前記記憶部における前記更新が、前記差分値の最小値のみを記憶する規則であり、
前記差分値は、前記閾値から前記信号値を減算した正負の符号を含む値であり、当該正負の符号が前記ホスト側装置により参照され前記信号値の前記閾値に対する診断結果の把握に用いられることを特徴とする、
信号監視装置。
【請求項３】
前記記憶部において記憶される前記差分値の、その初期値を０に設定する初期値設定部をさらに備えることを特徴とする、
請求項１または２に記載の信号監視装置。
【請求項４】
前記監視対象の信号が、電流、電圧、温度、光強度のうちのいずれかを示す信号であることを特徴とする、
請求項１〜３のいずれかに記載の信号監視装置。
【請求項５】
請求項１〜４のいずれかに記載の信号監視装置と、
伝送すべき信号を送受信する送受信部とを備え、
前記監視対象の信号が、前記送受信部の動作状態を示す信号であることを特徴とする、
信号送受信装置。
【請求項６】
前記信号送受信装置が、光トランシーバであることを特徴とする、
請求項５に記載の信号送受信装置。
【請求項７】
請求項５に記載の信号送受信装置と、
前記信号監視装置の前記記憶部に記憶された前記差分値を参照する参照部を備える、前記ホスト側装置とを備えることを特徴とする、
通信装置。
【請求項８】
前記参照部が、前記差分値の符号を参照することにより、前記ホスト側装置が前記信号値の前記閾値に対する診断結果を把握することを特徴とする、
請求項７に記載の通信装置。
【請求項９】
前記ホスト側装置が、前記参照部における参照結果に基づいて所定の警告画面を表示する、表示部をさらに備えることを特徴とする、
請求項７に記載の通信装置。
【請求項１０】
前記記憶部が、前記閾値をさらに記憶し、
前記参照部が、前記差分値および前記閾値を前記記憶部から参照し、
前記参照部において参照した前記差分値および前記閾値に基づいて、対応する前記信号値を逆算する信号値算出部をさらに備えることを特徴とする、
請求項９に記載の通信装置。
【請求項１１】
前記表示部が、前記信号値算出部において算出した前記信号値を表示することを特徴とする、
請求項１０に記載の通信装置。
【発明の詳細な説明】
【技術分野】
【０００１】
本発明は、監視対象の信号を監視する信号監視装置、信号監視装置を備える信号送受信装置、さらには信号送受信装置を備える通信装置に関するものである。
【背景技術】
【０００２】
光トランシーバ等の信号送受信装置では、信号の送受信動作が正常に行われているか否かを診断することで、動作の信頼性を高めることが一般に行われている。当該診断機能は、信号送受信装置内部または外部に備えられる信号監視装置によって実現される。【０００３】
上記診断の手法には、例えば、光トランシーバ等において、作動特性にかかわるパラメータや環境にかかわるパラメータであるアナログ信号をデジタル信号に変換して、そのデジタル信号を定期的に監視し、所定の閾値を超える場合には所定のフラグビットを生成するものがある（特許文献１参照）。フラグビットは、例えばＸＦＰ標準規格に従う情報である。外部のホスト側装置から要求があった場合には、当該フラグビットの有無を報告することで、診断結果を把握させることができる。【０００４】
また例えば、光トランシーバ等において送受信される信号を定期的に監視し、当該信号値の最大値および最小値を記憶するものがある（特許文献２参照）。光トランシーバは当該最大値および最小値を参照し、所定の閾値との比較処理を行うことで、信号値が当該閾値を超えたか否かを判断することができる。
【先行技術文献】
【特許文献】
【０００５】
【特許文献１】特表２００４−５２３９５８号公報
【特許文献２】特開２００８−２１１７３５号公報
【発明の概要】
【発明が解決しようとする課題】
【０００６】
しかし特許文献１の手法では、生成されたフラグビットから信号値が所定の閾値を超えていることは把握できるが、閾値を超えた当該信号値自体を取得したい場合には、フラグビットとは異なる記憶領域に記憶された信号値を参照して確認する必要があり、処理が煩雑であるという問題があった。【０００７】
また特許文献２の手法では、記憶された信号値の最大値および最小値を用いて、当該信号値が閾値を超えるか否かをその都度比較処理する必要がある。この場合、診断対象となる信号の種類が多くなるほど、診断結果を得るための処理時間が長くなるという問題があった。【０００８】
本発明は、上記のような問題を解決するためになされたものであり、診断結果および信号値の容易な取得、さらには、診断結果の取得の高速化を実現する信号監視装置、当該信号監視装置を備える信号送受信装置、信号送受信装置を備える通信装置を提供することを目的とする。
【課題を解決するための手段】
【０００９】
本発明の一態様に関する信号監視装置は、ホスト側装置から参照される記憶部を有する信号監視装置であって、監視対象の信号について、その信号値と、あらかじめ設定された閾値との差分値を時間順次に算出する差分値算出部と、時間順次に算出される前記差分値を、あらかじめ定められる規則により更新して記憶する前記記憶部とを備え、前記閾値が下限値である場合の前記あらかじめ定められる規則は、前記記憶部における前記更新が、前記差分値の最小値のみを記憶する規則であり、前記閾値が上限値である場合の前記あらかじめ定められる規則は、前記記憶部における前記更新が、前記差分値の最大値のみを記憶する規則であり、前記差分値は、前記信号値から前記閾値を減算した正負の符号を含む値であり、当該正負の符号が前記ホスト側装置により参照され前記信号値の前記閾値に対する診断結果の把握に用いられることを特徴とする。
また、本発明の他の態様に関する信号監視装置は、ホスト側装置から参照される記憶部を有する信号監視装置であって、監視対象の信号について、その信号値と、あらかじめ設定された閾値との差分値を時間順次に算出する差分値算出部と、時間順次に算出される前記差分値を、あらかじめ定められる規則により更新して記憶する前記記憶部とを備え、前記閾値が下限値である場合の前記あらかじめ定められる規則は、前記記憶部における前記更新が、前記差分値の最大値のみを記憶する規則であり、前記閾値が上限値である場合の前記あらかじめ定められる規則は、前記記憶部における前記更新が、前記差分値の最小値のみを記憶する規則であり、前記差分値は、前記閾値から前記信号値を減算した正負の符号を含む値であり、当該正負の符号が前記ホスト側装置により参照され前記信号値の前記閾値に対する診断結果の把握に用いられることを特徴とする。
【００１０】
本発明の一態様に関する信号送受信装置は、上記の信号監視装置と、伝送すべき信号を送受信する送受信部とを備え、前記監視対象の信号が、前記送受信部の動作状態を示す信号であることを特徴とする。【００１１】
本発明の一態様に関する通信装置は、上記の信号送受信装置と、前記信号監視装置の前記記憶部に記憶された前記差分値を参照する参照部を備える、ホスト側装置とを備えることを特徴とする。
【発明の効果】
【００１２】
本発明の上記態様によれば、時間順次に算出される前記差分値を、あらかじめ定められる規則により更新して記憶する記憶部とを備えることにより、当該差分値の符号から、診断結果を容易に、かつ、短い処理時間で取得させることが可能となる。また、差分値に基づく所定の演算を行うことで、信号値を容易に取得させることができる。【００１３】
特に本発明の一態様に関する信号送受信装置によれば、上記の信号監視装置と、伝送すべき信号を送受信する送受信部とを備え、前記監視対象の信号が、前記送受信部の動作状態を示す信号であることにより、送受信部の動作状態を示す信号値に基づく差分値から、診断結果を容易に、かつ、短い処理時間で取得させることが可能となる。また、差分値に基づく所定の演算を行うことで、信号値を容易に取得させることができる。【００１４】
特に本発明の一態様に関する通信装置によれば、上記の信号送受信装置と、前記信号監視装置の前記記憶部に記憶された前記差分値を参照する参照部を備える、ホスト側装置とを備えることにより、ホスト側装置の参照部において差分値を参照し、差分値から診断結果を容易に、かつ、短い処理時間で取得することが可能となる。また、差分値に基づく所定の演算を行うことで、信号値を容易に取得することができる。【００１５】
本発明の目的、特徴、局面、および利点は、以下の詳細な説明と添付図面とによって、より明白となる。
【図面の簡単な説明】
【００１６】
【図１】本発明の実施形態に関する光トランシーバおよびホスト側装置を備える通信装置の構成を示す図である。
【図２】本発明の実施形態に関する通信装置の構成を概念的に示した図である。
【図３】本発明の実施形態に関する通信装置における光トランシーバの動作を示すフローチャートである。
【図４】信号値および閾値（下限）と、ホスト側装置からの要求タイミングの関係を示す図である。
【図５】２の補数表現を例として、差分値のビットパターンを示した図である。
【図６】本発明の実施形態に関する通信装置における光トランシーバの動作を示すフローチャートである。
【図７】本発明の実施形態に関する通信装置の変形例の構成を概念的に示した図である。
【発明を実施するための形態】
【００１７】
以下、添付の図面を参照しながら、本発明の実施形態について説明する。
【００１８】
＜実施形態＞
＜構成＞
図１は、光トランシーバ４０およびホスト側装置２０を備える通信装置１００の構成を示す図である。なお、光トランシーバ４０は信号送受信装置の一例であり、信号送受信装置において送受信される信号は、本実施形態で示されるような光信号を含む場合に限られない。
【００１９】
図１に示されるように光トランシーバ４０は、レーザ光を発生させる半導体レーザ装置１と、電気信号を半導体レーザ装置１に送信する送信ＩＣ（Ｉｎｔｅｇｒａｔｅｄ  Ｃｉｒｃｕｉｔ）２と、光信号を受信する光受信器４と、光受信器４から出力された信号を受信する受信ＩＣ５と、光トランシーバ４０内部（半導体レーザ装置１、送信ＩＣ２、光受信器４、受信ＩＣ５を含む）またはその周辺の温度を測定する温度計７と、入力されたアナログ信号をデジタル信号に変換するＡＤＣ（Ａｎａｌｏｇ−ｔｏ−Ｄｉｇｉｔａｌ  Ｃｏｎｖｅｒｔｅｒ）３、ＡＤＣ６およびＡＤＣ８と、ＡＤＣ３、ＡＤＣ６およびＡＤＣ８から出力されたデジタル信号を用いて演算等の動作を行うＭＣＵ（Ｍｉｃｒｏ  Ｃｏｎｔｒｏｌｌｅｒ  Ｕｎｉｔ）１１とを備える。ＭＣＵ１１に入力されるデジタル信号としては、例えば、温度計７において測定された温度を示す信号、送信バイアス電流値を示す信号、送信光出力パワーを示す信号、受信光入力パワーを示す信号、電源電圧値を示す信号等がある。
【００２０】
半導体レーザ装置１は、入力された電気信号に基づいて所定のレーザ光を発生させる装置である。
【００２１】
光受信器４は、光信号を受信し、またその光信号を電気信号に変換する機器である。
【００２２】
ＭＣＵ１１は、演算を行うＡＬＵ（Ａｒｉｔｈｍｅｔｉｃ  ａｎｄ  Ｌｏｇｉｃ  Ｕｎｉｔ）９と、演算結果等を記憶するメモリ１０とを備える。
【００２３】
ＡＬＵ９では、各ＡＤＣから入力された信号値、具体的には、ＡＤＣ３を介して入力される送信ＩＣ２の動作状態を示す信号値（電流値、電圧値等）、ＡＤＣ６を介して入力される受信ＩＣ５の動作状態を示す信号値（電流値、電圧値等）、ＡＤＣ８を介して入力される温度計７で測定した温度を示す信号値と、各信号値の種別ごとにあらかじめ設定された閾値との差分を、差分値として算出することができる。
【００２４】
メモリ１０では、ＡＬＵ９で算出された差分値を、その符号も含めて記憶する。また、各信号値の種別ごとにあらかじめ設定された閾値も記憶することができる。
【００２５】
このようにして、ＭＣＵ１１は光トランシーバ４０における信号値を監視する機能を有する。
【００２６】
ホスト側装置２０は、光トランシーバ４０のＭＣＵ１１にアクセスすることでメモリ１０に記憶された情報を参照し、必要に応じて取得した情報に基づいて演算を行うことができる。
【００２７】
図２は、図１に示された通信装置１００の構成を概念的に示した図である。
【００２８】
光トランシーバ４０は、光信号を含む伝送すべき信号を送受信する送受信部１７と、監視対象である当該信号値を監視する信号監視装置３０とを備える。なお信号監視装置３０は、信号送受信装置としての光トランシーバ４０の外部に備えられるものであってもよい。送受信部１７は、例えば、図１における半導体レーザ装置１、送信ＩＣ２、光受信器４、受信ＩＣ５に対応する機能部である。また信号監視装置３０は、例えば、図１におけるＭＣＵ１１に対応する機能部である。
【００２９】
信号監視装置３０はさらに、監視対象となる信号の信号値と所定の閾値との差分値を算出する差分値算出部１２と、少なくとも差分値を記憶する記憶部１３とを備える。差分値算出部１２は、例えば、図１におけるＡＬＵ９に対応する機能部である。また記憶部１３は、例えば、図１におけるメモリ１０に対応する機能部である。
【００３０】
ここで記憶部１３は、図２においては信号監視装置３０に備えられる機能部として示されているが、概念的に信号監視装置３０に備えられていればよく、外部のサーバ等の記憶領域を信号監視装置３０において利用するものであってもよい。また記憶部１３には、差分値に加えて、各信号値に対してあらかじめ設定されている閾値が記憶されていてもよい。
【００３１】
ホスト側装置２０は、信号監視装置３０の記憶部１３において記憶された少なくとも差分値を参照し、さらには閾値を参照することもできる参照部１６と、参照部１６において差分値および閾値を取得した場合に、当該差分値および閾値に基づいて、対応する元の信号値を算出する（逆算する）信号値算出部１４と、参照部１６において取得した診断結果に基づく警告画面等、さらには信号値算出部１４において算出した信号値を表示する表示部１５とを備える。
【００３２】
ここで信号値算出部１４は、信号監視装置３０に備えられる機能部であってもよい。そのような場合には、参照部１６は、信号値算出部１４において算出された信号値を直接参照し取得することができる。
【００３３】
＜動作＞
次に、図３を参照しつつ、本発明の本実施形態に関する通信装置１００における光トランシーバ４０の、信号値の診断動作を説明する。図３は、通信装置１００における光トランシーバ４０の診断動作を示すフローチャートである。
【００３４】
まず光トランシーバ４０において、差分値算出部１２が、送受信部１７において送受信される信号の信号値を送受信部１７から取得し、さらに、記憶部１３またはその他の記憶領域に記憶された、取得した当該信号値に対応する所定の閾値を取得する（ステップＳ１）。そして差分値算出部１２が、信号値と閾値との差分値を算出する（ステップＳ２）。ここで差分値は、信号値から閾値を減算することによって得られる値、または、閾値から信号値を減算することによって得られる値であり、正負の符号を含めた値である。
【００３５】
本実施形態における信号値の診断動作においては、当該差分値の符号を利用する。すなわち、当該符号の正負に基づいて、信号値が閾値を「超えた」場合を把握する。
【００３６】
ここで信号値が閾値を「超えた」場合とは、下限の閾値よりも小さい信号値が取得された場合、および、上限の閾値よりも大きい信号値が取得された場合である。それぞれの場合に、差分値の符号が正負のどちらになるかをあらかじめ把握しておけば、上記診断動作を適切に行うことができる。
【００３７】
本実施形態では、下限の閾値を「超えた」か否か（すなわち、下限の閾値よりも小さい信号値が取得されたか否か）を把握する場合の動作について説明する。差分値は、信号値から閾値を減算することによって得られる値とし、差分値の符号が負であれば、信号値が下限の閾値を「超えた」ものとして把握される。
【００３８】
図４は、信号値および閾値（下限）と、ホスト側装置２０からの要求タイミングの関係を示す図である。図４において、縦軸は信号値、横軸は時間をそれぞれ示している。図４を参照すると、上記の定義による差分値は、時間の経過に従って正から負、さらに正へと推移していることが分かる。
【００３９】
差分値算出部１２において時間軸に沿って順次に算出される差分値は、記憶部１３において、既に記憶部１３に記憶されている差分値と比較される（ステップＳ３）。当該比較動作の初回は、あらかじめ設定された値を代入することで得られる初期値との比較となる。
【００４０】
そして記憶部１３において、上限の閾値に関する差分値なら、既に記憶部１３に記憶されている差分値より、取得した差分値が大きいか否か、下限の閾値に関する差分値なら、既に記憶部１３に記憶されている差分値より、取得した差分値が小さいか否かが判断される。すなわち、取得した差分値が、上限の閾値をより大きく「超えた」信号値から算出された差分値であるか否か、下限の閾値をより大きく「超えた」信号値から算出された差分値であるか否かが判断される。
【００４１】
本実施形態でいう差分値は下限の閾値に関する差分値であるから、既に記憶部１３に記憶されていた差分値より、取得された差分値が小さいか否かが判断される（ステップＳ４）。取得された差分値が、既に記憶部１３に記憶されていた差分値よりも小さい場合（ＹＥＳ）には、記憶部１３において取得された差分値が代わりに更新記憶される（ステップＳ５）。取得された差分値が、既に記憶部１３に記憶されていた差分値よりも大きい場合（ＮＯ）には、取得された差分値は破棄され、ステップＳ１へ戻る。
【００４２】
よって下限の閾値に関する差分値が更新記憶されていく場合には、ホスト側装置２０からの要求までに取得された差分値（時間の経過に従って正から負、さらに正へと推移）のうちの、最小値（図４におけるｍ値）のみが記憶部１３において記憶されることになる。
【００４３】
記憶部１３に記憶される差分値は、閾値が設定されている各種の信号値に対応しており、上記の更新記憶は、同種の差分値ごとに行われる。
【００４４】
なお、本実施形態と同じ定義（信号値から閾値を減算する）の差分値で、上限の閾値に関する差分値が更新記憶されていく場合には、ホスト側装置２０からの要求までに取得された差分値のうち、最大値のみが記憶されることになる。
【００４５】
ここで、差分値の記憶ビットパターンについて説明する。図５は、２の補数表現を例として、差分値のビットパターンを示した図である。なお当該図は例示であって、表現される数値はこの範囲である必要はなく、また、少数値を含むものであってもよい。
【００４６】
図５に示されるように差分値を示すビットパターンでは、一番左端のビットが０の場合には正の値を示し、当該ビットが１の場合には負の値を示している。このように差分値の正負を示すビット（符号ビット）が所定の位置に存在するため、当該符号ビットを参照することによって容易に差分値の正負が把握できる。そして、差分値の正負を把握することによって、信号値が閾値を「超えた」か否かについて把握することができる。
【００４７】
次に、図６を参照しつつ、ホスト側装置２０から記憶部１３に対して差分値参照の要求があった場合の、通信装置１００における光トランシーバ４０の動作を説明する。図６は、通信装置１００における光トランシーバ４０の動作を示すフローチャートである。
【００４８】
まず、光トランシーバ４０の特に信号監視装置３０に対し、ホスト側装置２０から差分値参照の要求（ステップＳ１１）があった場合（ＹＥＳ）には、信号監視装置３０が、記憶部１３から参照部１６へ差分値に関する情報を送信する（ステップＳ１２）。ホスト側装置２０から差分値参照の要求がない場合（ＮＯ）には、当該要求があるまでステップＳ１１を繰り返す。
【００４９】
ここで、参照部１６からの要求が、信号値が閾値を「超えた」か否かに関する要求のみである場合には、差分値に関する情報として、各種の差分値の正負を示すビットパターン（符号ビット。図５に示される例では、各ビットパターンの最初のビット）のみを送信されれば十分である。複数種の信号値について診断を行う場合には、符号ビットのみからなるビット列を生成し、送信することができる。
【００５０】
しかし、参照部１６からの要求が、例えばホスト側装置２０に備えられる信号値算出部１４において信号値の算出を行うことも含む要求であった場合には、差分値に関する情報として、各種の符号ビットを含む差分値そのものを示すビットパターン（差分値ビット）を送信する必要がある。
【００５１】
符号ビットを受信した参照部１６では、符号ビットが示す正負に基づいて、信号値が閾値を「超えた」か否かを把握する（ステップＳ１３）。本実施形態では、符号ビットが負である場合に、信号値が閾値を「超えた」とする。そして例えば、信号値が異常である旨等を示す警告画面を表示部１５に表示する。
【００５２】
参照部１６において差分値ビットが受信された場合には、図６に示されるフローチャートのように、さらに信号値算出部１４において信号値を算出（逆算）することができる（ステップＳ１４）。当該演算は、差分値、閾値、信号値それぞれの関係に基づいて行われる。すなわち本実施形態では、差分値ビットから読み取れる差分値が、信号値から閾値を減算することによって得られる値であるので、信号値は、差分値と閾値とを加算した値となる。算出した信号値は、例えば表示部１５に表示される。
【００５３】
なお、算出した信号値が閾値を「超えた」程度に応じて、信号値を表示部１５に表示させる方法を変更してもよい。例えば、警告の意味合いが強調されるように表示方法を変更すること、さらには、音等を伴う表示方法に変更することが考えられる。
【００５４】
次に、差分値の少なくとも一部のビットパターンを送信した後、記憶部１３において、差分値の値が初期化される（ステップＳ１５）。当該初期化は、あらかじめ設定された値を代入することで行うことができるが、信号値が閾値を「超えた」と把握される符号ではない符号の値（例えば、差分値が負である場合に信号値が閾値を「超えた」と把握する場合には、正の値）を初期値として設定するとよい。
【００５５】
＜変形例＞
図７は、通信装置１００の変形例である通信装置１０１の構成を概念的に示した図である。図７に示された通信装置１０１には、図２に示された通信装置１００に加えて、信号監視装置３１において初期値設定部１８が備えられている。
【００５６】
初期値設定部１８は、記憶部１３において記憶される差分値の初期値を０に設定する機能部である。
【００５７】
通信装置１０１の光トランシーバ４１の特に信号監視装置３１では、図６に示されたフローチャートのステップＳ１５において、差分値を初期化する際、差分値として代入する値を０とする。
【００５８】
上記の実施形態で既に説明したように、当該初期化は所定の値を代入することで行われるが、例えばある正の値を代入しようとする場合には、当該値を記憶している記憶領域（図示せず）等を読み込む処理が必要となる。しかし本変形例に示されるように、初期値設定部１８が直接０を代入する方法では、このような読み込み処理は不要である。図１に示されたＭＣＵ１１では、一般に記憶領域の値を０に設定する処理には特別な命令が用意されており、すなわち、初期値設定部１８に対応する機能部があらかじめ備えられているため、当該命令を利用することが効率的である。
【００５９】
このような方法を用いて初期化を行うことにより、初期化動作を高速化させることが可能となる。よって、ホスト側装置２０からの差分値要求が短い時間間隔で行われる場合でも、適切に初期化動作を行い、正しい差分値を送信することができる。
【００６０】
＜効果＞
本発明に関する実施形態によれば、信号監視装置３０（または信号監視装置３１）が、監視対象の信号について、その信号値と、あらかじめ設定された閾値との差分値を時間順次に算出する差分値算出部１２と、時間順次に算出される差分値を、あらかじめ定められる規則により更新して記憶する記憶部１３とを備える。
【００６１】
このような構成によれば、時間軸に沿って順次算出した差分値を記憶しておくことにより、当該差分値の符号を用いるだけで、信号値が閾値を「超えた」か否か（すなわち診断結果）を判断させることができる。また、当該差分値を用いて所定の演算を行うだけで、信号値を取得させることができる。
【００６２】
よって、診断結果を容易に、かつ、短い処理時間で取得させることが可能となる。また、信号値を改めて参照する必要なく、信号値を取得させることができる。
【００６３】
また、本発明に関する実施形態によれば、信号監視装置３１が、記憶部１３において記憶される差分値の、その初期値を０に設定する初期値設定部１８を備える。
【００６４】
このような構成によれば、初期値として記憶された特定の値を読み込む場合よりも短い処理時間で、記憶部１３の初期化を行うことができる。よって、ホスト側装置２０からの差分値要求が短い時間間隔で行われる場合でも、適切に初期化動作を行い、正しい差分値を送信することができる。
【００６５】
また、本発明に関する実施形態によれば、通信装置１００（または通信装置１０１）が、信号送受信装置としての光トランシーバ４０（または光トランシーバ４１）と、信号監視装置３０の記憶部１３に記憶された差分値を参照する参照部１６を備える、ホスト側装置２０とを備える。
【００６６】
このような構成によれば、参照した差分値の符号から、監視対象である信号値が閾値を「超えた」か否かを判断することができ、診断結果を容易に、かつ、短い処理時間で取得することが可能となる。
【００６７】
また、本発明に関する実施形態によれば、ホスト側装置２０が、参照部１６における参照結果に基づいて所定の警告画面を表示する、表示部１５を備える。
【００６８】
このような構成によれば、診断結果、および、差分値から算出される信号値に基づいて、表示部１５に警告画面を表示することができるため、診断結果の内容、さらには、信号値がどの程度閾値を「超えた」かについても、表示される画面から認識することができる。
【００６９】
また、本発明に関する実施形態によれば、記憶部１３が、閾値をさらに記憶し、参照部１６が、差分値および閾値を記憶部１３から参照し、通信装置が、参照部１６において参照した差分値および閾値に基づいて、対応する信号値を逆算する信号値算出部１４を備える。
【００７０】
このような構成によれば、差分値と閾値との関係から信号値を算出することができるため、信号値を別途記憶しておく必要はなく、容易に信号値を取得することができる。信号値自体が取得できることで、信号値が閾値をどの程度「超えた」のかを確認することができ、不具合の程度を適切に把握することができる。
【００７１】
本発明の実施形態では、各構成要素の材質、材料、実施の条件等についても記載しているが、これらは例示であって記載したものに限られるものではない。
【００７２】
なお本発明は、その発明の範囲内において、本実施形態における任意の構成要素の変形もしくは省略が可能である。
【００７３】
本発明は詳細に説明されたが、上記した説明は、すべての局面において、例示であって、本発明がそれに限定されるものではない。例示されていない無数の変形例が、本発明の範囲から外れることなく想定され得るものと解される。
【符号の説明】
【００７４】
１  半導体レーザ装置、２  送信ＩＣ、３，６，８  ＡＤＣ、４  光受信器、５  受信ＩＣ、７  温度計、９  ＡＬＵ、１０  メモリ、１１  ＭＣＵ、１２  差分値算出部、１３  記憶部、１４  信号値算出部、１５  表示部、１６  参照部、１７  送受信部、１８  初期値設定部、２０  ホスト側装置、３０，３１  信号監視装置、４０，４１  光トランシーバ、１００，１０１  通信装置。
【要約】
本発明は、診断結果および信号値の容易な取得、さらには、診断結果の取得の高速化を実現する信号監視装置、信号送受信装置、通信装置を提供することを目的とする。本発明にかかる信号監視装置３０は、監視対象の信号について、その信号値と、あらかじめ設定された閾値との差分値を時間順次に算出する差分値算出部１２と、時間順次に算出される差分値を、あらかじめ定められる規則により更新して記憶する記憶部１３とを備えることを特徴とする。【図１】
0005415651.tif 000002
【図２】
0005415651.tif 000003
【図３】
0005415651.tif 000004
【図４】
0005415651.tif 000005
【図５】
0005415651.tif 000006
【図６】
0005415651.tif 000007
【図７】
0005415651.tif 000008